(57)【要約】【課題】  複雑な立体面に確実に取り付けることができる植設物の取付構造を提供することにある。【解決手段】  表示部材１２は、立体面からなる表示面１２ａと、この表示面１２ａに設けられた取付孔１２ｂを有している。植設物１４は、表示面１２ａに合致する立体面からなる取付面１４ａと、この取付面１４ａに設けられた足部１４ｂを有している。植設物１４は、表示面１２ａに取付面１４ａが合致することで位置決めされ、足部１４ｂが取付孔１２ｂに嵌入固定されることで固定される。このような取付構造により、平面の組み合わせ又は曲面からなる立体面で構成される表示面１２ａに、植設物１４を簡単且つ強固に取り付けることができる。【選択図】  図５
2010223800.tif 000002
【特許請求の範囲】
【請求項１】
立体面からなる表示面を有し、該表示面に取付孔が設けられている表示部材と、
前記表示面の形状に合致する立体面からなる取付面を有し、該取付面に前記取付孔に嵌入される足部が設けられている植設物と、
を備え、
前記表示面と前記取付面の形状は、前記表示部材と前記植設物を合致させたとき位置決めされる形状を有していることを特徴とする植設物の取付構造。
【請求項２】
立体面からなる表示面を有し、該表示面に取付孔が設けられている表示部材と、
前記表示面の形状に合致する立体面からなる取付面を有し、該取付面に前記取付孔に嵌入される足部が設けられている植設物と、
を備え、
前記表示面と前記取付面の形状及び前記取付孔と前記足部の位置は、前記表示部材と前記植設物を合致させたとき位置決めされる形状を有していることを特徴とする植設物の取付構造。
【請求項３】
前記植設物は前記表示面の形状に沿った外形形状を有することを特徴とする請求項１または２に記載の植設物の取付構造。
【請求項４】
前記立体面は、平面の組み合わせ又は曲面からなることを特徴とする請求項１または２に記載の植設物の取付構造。
【請求項５】
前記植設物は前記表示部材に複数取り付けられ、前記足部は、前記植設物毎に１本ずつ設けられていることを特徴とする請求項２に記載の植設物の取付構造。
【発明の詳細な説明】
【技術分野】
【０００１】
本発明は、時計文字板、見返しリング等の表示部材に、時字、数字、文字、マーク等の植字や装飾等からなる植設物を取り付ける構造に関するものである。
【背景技術】
【０００２】
一般に、時計文字板に植字を取り付ける構造としては、図６に示すように、時計文字板２の所定位置に設けた２つの取付孔２ａに、植字４の２本の足部４ａを嵌入し、足部４ａの先端をカシメ等により固定することで取り付けていた。しかしながら、時計文字板２の表面が起伏がある立体面で構成される場合、時計文字板２の表面と植字４との間に隙間が発生したり、植字４の位置が不安定になって２つの取付孔２ａに２本の足部４ａを嵌入する作業が難しくなることがあった。
【０００３】
そこで、時字等を時計文字板の表面に接着したり、図７に示すように、時計文字板８の表面に浮字等の凸部８ａを設け、これに逆凹状のカバー１０を被せることが行われていた（例えば、特許文献１参照）。従前より、時計文字板においては、高級感や装飾性を高めるために立体感を出すことが求められており、時字の厚みを増して立体感を高めることが行われている。このように時字の厚みを増すと重量も増すので、その固定力を高めなければならず、接着では十分な固定強度を得ることができなかった。また、カバー１０では嵌合可能な形状が限定されてしまい、複雑な立体面には対応できなかった。
【先行技術文献】
【特許文献】
【０００４】
【特許文献１】実開昭５５−８０７６３号公報
【発明の概要】
【発明が解決しようとする課題】
【０００５】
本発明が解決しようとする課題は、上記従来技術の問題を解決し、複雑な立体面に確実に取り付けることができる植設物の取付構造を提供することにある。
【課題を解決するための手段】
【０００６】
本発明の植設物の取付構造は、立体面からなる表示面を有し、該表示面に取付孔が設けられている表示部材と、前記表示面の形状に合致する立体面からなる取付面を有し、該取付面に前記取付孔に嵌入される足部が設けられている植設物と、を備え、前記表示面と前記取付面の形状は、前記表示部材と前記植設物を合致させたとき位置決めされる形状を有していることを特徴とする。
また、本発明の植設物の取付構造は、立体面からなる表示面を有し、該表示面に取付孔が設けられている表示部材と、前記表示面の形状に合致する立体面からなる取付面を有し、該取付面に前記取付孔に嵌入される足部が設けられている植設物と、を備えており、前記表示面に前記取付面が合致することで前記植設物を位置決めし、前記足部が前記取付孔に嵌入固定されることで前記植設物を固定するものである。この植設物の取付構造における前記植設物は、前記表示面の形状に沿った外形形状を有している。
【０００７】
また、この植設物の取付構造における前記立体面は、平面の組み合わせ又は曲面からなる。更に、前記植設物は前記表示部材に複数取り付けられ、前記足部は、前記植設物毎に１本ずつ設けられている。
【発明の効果】
【０００８】
本発明の植設物の取付構造における表示部材と植設物は、その表示面と取付面が合致する立体面で構成されているので、表示面と取付面を合わせるだけで植設物を位置決めすることができる。このように植設物が位置決めされることで、表示面に設けられた取付孔に、取付面に設けられた足部を容易に嵌入することができる。
【０００９】
また、合致する立体面となっている表示面と取付面を合わせるだけで植設物を確実に位置決めすることができるので、足部を１本にしても植設物が回転したり位置ずれすることがない。このため、足部を設けることで固定力を高めることができると共に、足部の形成や嵌入に係る手間を最小限に抑えることができる。
【００１０】
また、植設物の外形形状を表示部材の表示面の形状に沿った形状に形成しているので、曲面等の立体面からなる表示面上に、違和感なく植設物を設けて高級感やデザインの一体感を向上させることができる。
【図面の簡単な説明】
【００１１】
【図１】図１は本発明の一実施例に係る表示部材と植設物を示す斜視図である。
【図２】図２は図１に示す植設物を示す正面図である。
【図３】図３は図２に示す植設物の平面図である。
【図４】図４は図２に示す植設物の側面図である。
【図５】図５は図１に示す表示部材と植設物の要部断面図である。
【図６】図６は従来の植字を示す断面図である。
【図７】図７は従来の時字を示す断面図である。
【発明を実施するための形態】
【００１２】
本発明の植設物の取付構造における表示部材は、立体面からなる表示面を有し、表示面に取付孔が設けられている表示部材と、表示面の形状に合致する立体面からなる取付面を有し、該取付面に前記取付孔に嵌入される足部が設けられている植設物と、を備え、表示面と取付面の形状は、表示部材と植設物を合致させたとき位置決めされる形状を有している。
また、本発明の植設物の取付構造における表示部材は、立体面からなる表示面と、この表示面に設けられた取付孔を有している。また、植設物は、表示面に合致する立体面からなる取付面と、この取付面に設けられた足部を有している。この植設物は、表示面に取付面が合致することで位置決めされ、足部が取付孔に嵌入固定されることで固定される。
これらのような取付構造により、平面の組み合わせ又は曲面からなる立体面で構成される表示面に、植設物を簡単且つ強固に取り付けることができる。
【実施例】
【００１３】
以下図面に基づいて本発明の実施例を説明する。図１は本発明の一実施例に係る表示部材と植設物を示す斜視図、図２乃至図４は図１に示す植設物の正面図、平面図及び側面図、図５は図１に示す表示部材と植設物の要部断面図である。
１２は表示部材であり、本実施例においては見返しリングを構成するものとなっている。この表示部材１２は、その内側面が表示面１２ａとなっており、この表示面１２ａが凸状に湾曲した曲面からなる立体面で構成されている。この表示面１２ａには、後に詳述する植設物を取り付ける位置に取付孔１２ｂが設けられている。
【００１４】
１４は植設物であり、本実施例においては時字としての植字を構成するものとなっている。この植設物１４は、表示部材１２に当接して取り付けられる取付面１４ａを有し、この取付面１４ａが表示面１２ａに合致する凹状に湾曲した曲面からなる立体面で構成されている。本実施例における植設物１４は、その外形形状が表示面１２ａに沿って湾曲した形状をなすものであり、図３及び図４に示すように、概ね数字「２」の正面が凸状になる
ように上下端が背面方向に湾曲したものとなっている。また、この植設物１４の取付面１４ａには、取付方向に突出した１本の足部１４ｂが設けられている。この足部１４ｂは、略円柱形をなし、表示部材１２の取付孔１２ｂに嵌入可能な径に設定されている。尚、この植設物１４は、切削、プレス、成形等により形成されている。
【００１５】
上記構成からなる表示部材１２と植設物１４において、植設物１４は以下のように表示部材１２に取り付けられる。この植設物１４の取付面１４ａは表示部材１２の表示面１２ａに合致する立体面であるため、その取付面１４ａを表示面１２ａの取付位置に当接させると、植設物１４は上下左右に確実に位置決めされる。また、このときに、取付面１４ａに設けられた足部１４ｂは、表示面１２ａの取付孔１２ｂに嵌入される。この状態において、植設物１４はその位置が上下左右にずれることなく、足部１４ｂが１本であってもそれを中心として回転することもない。ここで、足部１４ｂの先端をカシメ、溶接、ロー付け、接着等あるいは圧入のみで固定することにより、足部１４ｂが抜脱できなくなり、植設物１４は強固に固定される。
【００１６】
本実施例においては、表示面１２ａと取付面１４ａを曲面からなる立体面で構成しているが、この他、矩形、三角形等の平面や曲面の組み合わせによる凹凸からなる立体面で構成することも可能である。
【００１７】
また、他の実施例として、植設物の取付面と表示部材の表示面をお互い合致させたときに位置決めされる形状にしておくことで、足部を有さない植設物を用いることも可能になる。足部を有さない植設物であれば、表示部材に取付孔を設ける必要がなくなるため、取付孔の孔位置のばらつきもなくなる。この場合、植設物の固定には、接着剤や溶接等を用いる。
【産業上の利用可能性】
【００１８】
本発明の植設物の取付構造は、実施例に示すような時計用の表示部材やそれに類する計器類だけでなく、装身具等に装飾を取り付ける構造としても用いることができる。
【符号の説明】
【００１９】
２，８  時計文字板
２ａ    取付孔
４      植字
４ａ    足部
８ａ    凸部
１０    カバー
１２    表示部材
１２ａ  表示面
１２ｂ  取付孔
１４    植設物
１４ａ  取付面
１４ｂ  足部
【図１】
2010223800.tif 000003
【図２】
2010223800.tif 000004
【図３】
2010223800.tif 000005
【図４】
2010223800.tif 000006
【図５】
2010223800.tif 000007
【図６】
2010223800.tif 000008
【図７】
2010223800.tif 000009